【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
航空機用ソフトウェアパーツを管理するための、コンピュータによって実行される方法であって、
一連の航空機用ソフトウェアパーツの一連の署名を有する代替パーツ署名リストファイルを作成すること、
代替パーツ署名リストファイルに署名を付与すること、
代替パーツ署名リストファイルをクレートに挿入して、クレートに格納された代替パーツ署名リストファイルを形成すること、
クレートに格納された代替パーツ署名リストファイルに署名を付与して、署名付きクレートを作成すること、
署名付きクレートを航空機用ソフトウェアパーツとして航空機データ処理システムへ送信すること、及び
航空機データ処理システム上の航空機用ソフトウェアパーツの各署名を、署名付きクレートの対応する署名で置き換えて、航空機データ処理システム上の一連の現在の署名を形成すること
を含む方法。
【請求項２】
送信するステップが、
署名付きクレートを航空機データ処理システム上の機内電子配信システムへ送信すること
を含む、請求項１に記載のコンピュータによって実行される方法。
【請求項３】
前記一連の現在の署名のための対応する現在の署名を使用して、列線交換ユニットにロードする前に、特定の航空機用ソフトウェアパーツを照合すること
をさらに含む、請求項１に記載のコンピュータによって実行される方法。
【請求項４】
航空機用ソフトウェアパーツを管理するための、コンピュータによって実行される方法であって、
一連の航空機用ソフトウェアパーツを特定すること、
一連の航空機用ソフトウェアパーツに関連する一連の署名をファイルに挿入すること、及び
一連の署名が既存の航空機用ソフトウェアパーツと対応している前記ファイルを、航空機用ソフトウェアパーツとして航空機データ処理システムへ送信すること
を含む方法。
【請求項５】
航空機用ソフトウェアパーツを航空機データ処理システムに保存すること、
航空機用ソフトウェアパーツファイルの一連の署名のうちの選択された署名を使用して、航空機データ処理システムに保存された一連の航空機用ソフトウェアパーツのうちの選択された航空機用ソフトウェアパーツを認証することにより、認証された航空機用ソフトウェアパーツを形成すること、及び
認証されたソフトウェアパーツを航空機の列線交換ユニットにロードすること
をさらに含む、請求項４に記載のコンピュータによって実行される方法。
【請求項６】
航空機データ処理システム上の一連の航空機用ソフトウェアパーツのそれぞれの古い署名を、航空機用ソフトウェアパーツに位置する対応する新しい署名で置き換えることをさらに含む、請求項４に記載のコンピュータによって実行される方法。
【請求項７】
挿入するステップが、
一連の航空機用ソフトウェアパーツに関連する一連の署名をファイルに挿入すること、
ファイルから航空機用ソフトウェアパーツを作成すること、
航空機用ソフトウェアパーツに署名を付与して、署名付き航空機用ソフトウェアパーツを形成すること、
署名付き航空機用ソフトウェアパーツをクレートに挿入して、クレートに格納された航空機用ソフトウェアパーツを形成すること
を含む、請求項４に記載のコンピュータによって実行される方法。
【請求項８】
航空機用ソフトウェアパーツがクレートに保存されている、請求項４に記載のコンピュータによって実行される方法。
【請求項９】
航空機の航空機データ処理システム、及び
航空機データ処理システム上に位置するソフトウェア・アプリケーションであって、航空機データ処理システムの一連の航空機用ソフトウェアパーツに関連する一連の署名を有する一つの航空機用ソフトウェアパーツを受信し、ファイル中の一連の署名のうちの選択された署名を使用して、航空機データ処理システム上に保存された一連の航空機用ソフトウェアパーツのうちの選択された航空機用ソフトウェアパーツを認証して、認証された航空機用ソフトウェアパーツを形成し、認証されたソフトウェアパーツを航空機の列線交換ユニットにロードすることができるソフトウェア・アプリケーション
を含む装置。
【請求項１０】
第２データ処理システム、及び
第２データ処理システム上に位置する航空機用ソフトウェアパーツ管理アプリケーションであって、一連の航空機用ソフトウェアパーツを特定すること、一連の航空機用ソフトウェアパーツに関連する一連の署名をファイルに挿入すること、及び前記ファイルを航空機用ソフトウェアパーツとして航空機データ処理システムへ送信することができる航空機用ソフトウェアパーツ管理アプリケーション
をさらに含む、請求項９に記載の装置。
【手続補正２】
【補正対象書類名】明細書
【補正対象項目名】０１０３
【補正方法】変更
【補正の内容】
【０１０３】
さらに、他の有利な実施形態と比較して、異なる有利な実施形態により異なる利点の提供が可能である。選択された一又は複数の実施形態は、実施形態及び実際の応用形態の原理を最適に説明するため、また、当業者が、考えられる特定の使用に好適である様々な修正を施した様々な実施形態の開示を理解できるように選択され記載されたものである。
また、本発明は以下に記載する態様を含む。
（態様１）
航空機用ソフトウェアパーツを管理するための、コンピュータによって実行される方法であって、
一連の航空機用ソフトウェアパーツの一連の署名を有する代替パーツ署名リストファイルを作成すること、
代替パーツ署名リストファイルに署名を付与すること、
代替パーツ署名リストファイルをクレートに挿入して、クレートに格納された代替パーツ署名リストファイルを形成すること、
クレートに格納された代替パーツ署名リストファイルに署名を付与して、署名付きクレートを作成すること、
署名付きクレートを航空機用ソフトウェアパーツとして航空機データ処理システムへ送信すること、及び
航空機データ処理システム上の航空機用ソフトウェアパーツの各署名を、署名付きクレートの対応する署名で置き換えて、航空機データ処理システム上の一連の現在の署名を形成すること
を含む方法。
（態様２）
送信するステップが、
署名付きクレートを航空機データ処理システム上の機内電子配信システムへ送信すること
を含む、態様１に記載のコンピュータによって実行される方法。
（態様３）
前記一連の現在の署名のための対応する現在の署名を使用して、列線交換ユニットにロードする前に、特定の航空機用ソフトウェアパーツを照合すること
をさらに含む、態様１に記載のコンピュータによって実行される方法。
（態様４）
ロードするステップが人間のオペレータによって開始される、態様３に記載のコンピュータによって実行される方法。
（態様５）
航空機用ソフトウェアパーツを管理するための、コンピュータによって実行される方法であって、
一連の航空機用ソフトウェアパーツを特定すること、
一連の航空機用ソフトウェアパーツに関連する一連の署名をファイルに挿入すること、及び
一連の署名が既存の航空機用ソフトウェアパーツと対応している前記ファイルを、航空機用ソフトウェアパーツとして航空機データ処理システムへ送信すること
を含む方法。
（態様６）
航空機用ソフトウェアパーツを航空機データ処理システムに保存すること、
航空機用ソフトウェアパーツファイルの一連の署名のうちの選択された署名を使用して、航空機データ処理システムに保存された一連の航空機用ソフトウェアパーツのうちの選択された航空機用ソフトウェアパーツを認証することにより、認証された航空機用ソフトウェアパーツを形成すること、及び
認証されたソフトウェアパーツを航空機の列線交換ユニットにロードすること
をさらに含む、態様５に記載のコンピュータによって実行される方法。
（態様７）
ロードするステップが人間のオペレータによって開始される、態様５に記載のコンピュータによって実行される方法。
（態様８）
航空機データ処理システム上の一連の航空機用ソフトウェアパーツのそれぞれの古い署名を、航空機用ソフトウェアパーツに位置する対応する新しい署名で置き換えることをさらに含む、態様５に記載のコンピュータによって実行される方法。
（態様９）
それぞれの古い署名は期限切れした署名である、態様５に記載のコンピュータによって実行される方法。
（態様１０）
挿入するステップが、
一連の航空機用ソフトウェアパーツに関連する一連の署名をファイルに挿入すること、
ファイルから航空機用ソフトウェアパーツを作成すること、
航空機用ソフトウェアパーツに署名を付与して、署名付き航空機用ソフトウェアパーツを形成すること、
署名付き航空機用ソフトウェアパーツをクレートに挿入して、クレートに格納された航空機用ソフトウェアパーツを形成すること
を含む、態様５に記載のコンピュータによって実行される方法。
（態様１１）
航空機用ソフトウェアパーツがクレートに保存されている、態様５に記載のコンピュータによって実行される方法。
（態様１２）
一連の署名が、一連の拡張可能なマークアップ言語の署名である、態様５に記載のコンピュータによって実行される方法。
（態様１３）
航空機用ソフトウェアパーツを管理するための、コンピュータによって実行される方法であって、
航空機上の一連の航空機用ソフトウェアパーツに関連する一連の署名を含む航空機用ソフトウェアパーツを受信すること、及び
航空機上の一連の航空機用ソフトウェアパーツの各航空機用ソフトウェアパーツに関連するそれぞれの古い署名を、航空機用ソフトウェアパーツの対応する新しい署名で置き換えること
を含む方法。
（態様１４）
一連の航空機用ソフトウェアパーツに関連する一連の署名をファイルに挿入すること、
ファイルから航空機用ソフトウェアパーツを作成すること、及び
航空機用ソフトウェアパーツを航空機データ処理システムへ送信すること
をさらに含む、態様１３に記載のコンピュータによって実行される方法。
（態様１５）
置き換えるステップが、
航空機上に一連の航空機用ソフトウェアパーツのうちの選択された航空機用ソフトウェアパーツをロードする要求に応じて、選択された航空機用ソフトウェアパーツに関連する古い署名の代わりに、航空機用ソフトウェアパーツから関連する新しい署名を使用して、選択された航空機用ソフトウェアパーツを認証すること、
選択された航空機用ソフトウェアパーツが良好に認証されたことに応じて、選択された航空機用ソフトウェアパーツを航空機上の列線交換ユニットにロードすること
を含む、態様１３に記載のコンピュータによって実行される方法。
（態様１６）
要求が航空機の整備士によって送信される、態様１５に記載のコンピュータによって実行される方法。
（態様１７）
航空機の航空機データ処理システム、及び
航空機データ処理システム上に位置するソフトウェア・アプリケーションであって、航空機データ処理システムの一連の航空機用ソフトウェアパーツに関連する一連の署名を有する一つの航空機用ソフトウェアパーツを受信し、ファイル中の一連の署名のうちの選択された署名を使用して、航空機データ処理システム上に保存された一連の航空機用ソフトウェアパーツのうちの選択された航空機用ソフトウェアパーツを認証して、認証された航空機用ソフトウェアパーツを形成し、認証されたソフトウェアパーツを航空機の列線交換ユニットにロードすることができるソフトウェア・アプリケーション
を含む装置。
（態様１８）
第２データ処理システム、及び
第２データ処理システム上に位置する航空機用ソフトウェアパーツ管理アプリケーションであって、一連の航空機用ソフトウェアパーツを特定すること、一連の航空機用ソフトウェアパーツに関連する一連の署名をファイルに挿入すること、及び前記ファイルを航空機用ソフトウェアパーツとして航空機データ処理システムへ送信することができる航空機用ソフトウェアパーツ管理アプリケーション
をさらに含む、態様１７に記載の装置。
（態様１９）
コンピュータによって読み取り可能な媒体、
一連の航空機用ソフトウェアパーツを特定するための、コンピュータによって書き込み可能な媒体に保存されたプログラムコード、
ファイルに一連の航空機用ソフトウェアパーツに関連する一連の署名を挿入して、一つの航空機用ソフトウェア部品を形成するための、コンピュータによって書き込み可能な媒体に保存されたプログラムコード、及び
航空機用ソフトウェアパーツを航空機データ処理システムへ送信するための、コンピュータによって書き込み可能な媒体に保存されたプログラムコード
を含む、コンピュータプログラム製品。
（態様２０）
航空機用ソフトウェアパーツを航空機データ処理システムに保存するための、コンピュータによって書き込み可能な媒体に保存されたプログラムコード、
航空機用ソフトウェアパーツの一連の署名のうちの選択された署名を使用して、航空機データ処理システムに保存された一連の航空機用ソフトウェアパーツのうちの選択された航空機用ソフトウェアパーツを認証することにより、認証された航空機用ソフトウェアパーツを形成するための、コンピュータによって書き込み可能な媒体に保存されたプログラムコード、及び
認証されたソフトウェアパーツを航空機データ処理システムの列線交換ユニットにロードするための、コンピュータによって書き込み可能な媒体に保存されたプログラムコード
をさらに含む、態様１９に記載のコンピュータプログラム製品。